(57)【要約】【課題】  掛け時計としての大きさを保ちながら、カレンダー機能が備わって時刻及び暦を確認し易く、しかも安価に製造でき、仮り住まい生活等に有用なカレンダー付き掛け時計を提供する。【解決手段】  板状のベース板１と、１月分を上にして、１月から１２月迄の各月の暦３１が順に印刷され且つ夫々に時刻を表示する指標３０が印刷されて、前記ベース板１の表面に重ねられる１２枚の各月用のシート状体３Ａ〜３Ｌを備えた暦入り時計盤シート３と、該暦入り時計盤シート上に重ねられる透視性のある透明板４と、前記ベース板１の裏面側に駆動部２ａが取付けられ、該駆動部からベース板の表側に軸芯２ｃが突出し１２枚の前記暦入り時計盤シート３及び透明板４を貫通してこれらを支持し、さらに該透明板の表側に露出したその軸芯２ｃの先端部分２ｃ１に、時刻を指し示す指針部２ｂが設けられた計時装置２と、を具備する。【選択図】  図１
2006198989.tif 000002
【特許請求の範囲】
【請求項１】
板状のベース板(１)と、
１月分を上にして、１月から１２月迄の各月の暦が順に印刷され且つ夫々に時刻を表示する指標が印刷されて、前記ベース板の表面に重ねられる１２枚の各月用のシート状体を備えた暦入り時計盤シート(３)と、
該暦入り時計盤シート上に重ねられる透視性のある透明板(４)と、
前記ベース板の裏面側に駆動部(２ａ)が取付けられ、該駆動部からベース板の表側に軸芯(２ｃ)が突出し１２枚の前記暦入り時計盤シート及び透明板を貫通してこれらを支持し、さらに該透明板の表側に露出したその軸芯の先端部分に、時刻を指し示す指針部(２ｂ)が設けられた計時装置(２)と、を具備することを特徴とするカレンダー付き掛け時計。
【請求項２】
前記暦入り時計盤シートが紙製にして、１月から１２月の各月の暦が順に印刷され且つ夫々に時刻を表示する指標が印刷されてなる１２枚の各月用のシート状体の上に、さらに別体のシート状の表紙が重ねられて、これらが前記ベース板の表面に重ねられるものである請求項１記載のカレンダー付き掛け時計。
【請求項３】
前記ベース板と前記各シート状体とを正面視大きさがほぼ同じの円形とし、各シート状体は日曜日と祝日とを平日と異なる色彩で表示したそのひと月分の暦が印刷され、さらに前記指標がつくるサークルよりも外側に前記ひと月分の暦の日にち文字がシート状体の外周縁に沿って一周するように印刷されてなる請求項１又は２に記載のカレンダー付き掛け時計。
【請求項４】
前記各シート状体に、その上縁部分から２本のミシン目が平行に下降して、該シート状体の中心部に設けられる中心孔の近傍にまで至るミシン目ライン又は該中心孔にまでつながるミシン目ラインをさらに形成する請求項３記載のカレンダー付き掛け時計。
【発明の詳細な説明】
【技術分野】
【０００１】
本発明はカレンダー機能を備えるカレンダー付き掛け時計に関する。
【背景技術】
【０００２】
時計とカレンダーとが一体になったカレンダー付き時計は、時間と月日が一目で確認でき重宝である。とりわけ、掛け時計のように部屋の壁などに吊るして、部屋のどこからでも時間のみならず暦を視認できれば一層便利で、このたぐいの時計付きカレンダーの発明技術が既に提案されている(例えば特許文献１)。
【０００３】
【特許文献１】特開２０００−２５３６４公報（以下、「従来技術１」という。）
【０００４】
従来技術１は「暦が印刷された複数枚の暦印刷シートがベースシートの表面側に重ねられたカレンダーにおいて、前記ベースシートには、当該ベースシートの表面側に時刻表示部を向ける計時装置が搭載され、前記複数枚の全ての暦印刷シート、或いは前記複数枚の全ての暦印刷シート、或いは前記複数枚の暦印刷シートのうち最も下に重ねられた暦印刷シートを除く暦印刷シートには、前記時刻表示部と重なる領域に当該時刻表示部を露出させる時刻表示窓を形成する時計付きカレンダー」である。
【発明の開示】
【発明が解決しようとする課題】
【０００５】
しかるに、従来技術１はあくまでカレンダーに時計機能が付加されるものであった。カレンダーに時刻表示窓を形成してここに時計装置を組み込んでいるので、カレンダーの暦部分と時計部分がそれぞれ別個に独立配置され、時計付きカレンダーそのものが大きい割に時計装置の文字盤は小さく見づらかった。時計部分を視認し易い掛け時計として機能発揮できるよう大きくすれば、時計付きカレンダーそのものが大きくなりすぎて商品性を失った。
また、例えば下半部に暦が印刷され、上半部に風景写真や人物画像等が描かれるカレンダーにあって、上半部に時刻表示窓を形成して時計装置を組み込むので、その上半部に描かれていた風景写真や人物画像の一部又は大半が切取られ、風景写真や人物画像等の品質価値を下げる結果になっていた。
【０００６】
ところで、一年終わりの年末や暮れに無償提供される傾向が強いカレンダーに対し、掛け時計は通常、季節に関係なく必要時に購入することが多い。例えば、不意の地震等による仮設住宅などの避難生活を過ごすうえで掛け時計がまず必要となる。こうしたケースでは、避難中の仮り住まい期間中だけ動けばよく、金額的に安価な方がよい。そして、年末や年初めにしか一般に入手困難なカレンダー機能が備われば一層便利になる。カレンダーによる月日の確認は時間と違って必要に応じ、具体的には一日一回程度で足りる。また建設工事現場やコンビナート等の定修工事における仮設ハウス,詰め所などでも、日々の仕事の時間管理が大切で、掛け時計が必要になっている。高価な掛け時計でなく、むしろ工事期間だけ機能する掛け時計であれば充足する。安価にして見易い掛け時計であればより好ましい。暦が付加されていれば、工事の進捗状況を確かめたり工事完工日に印を付けて仕事に意欲をかきたてたりできるので一層好ましいものとなる。さらに、入院生活の病室などでも入院中にだけ使う安価な掛け時計で、さらにカレンダーのようにひと月分の暦表示ができれば、患者が寝たままでも時刻が見易いだけでなく、退院日などをマーキングできて退院を待ち望む患者の励みにもなる。しかし、こうしたカレンダー付き掛け時計はこれまでなかった。
【０００７】
本発明は上記問題点を解決するもので、掛け時計としての大きさを保ちながら、カレンダー機能が備わって時刻及び暦を確認し易く、しかも安価に製造でき、仮り住まい生活等に有用なカレンダー付き掛け時計を提供することを目的とする。
【課題を解決するための手段】
【０００８】
上記目的を達成すべく、請求項１に記載の発明の要旨は、板状のベース板(１)と、１月分を上にして、１月から１２月迄の各月の暦が順に印刷され且つ夫々に時刻を表示する指標が印刷されて、前記ベース板の表面に重ねられる１２枚の各月用のシート状体を備えた暦入り時計盤シート(３)と、該暦入り時計盤シート上に重ねられる透視性のある透明板(４)と、前記ベース板の裏面側に駆動部(２ａ)が取付けられ、該駆動部からベース板の表側に軸芯(２ｃ)が突出し１２枚の前記暦入り時計盤シート及び透明板を貫通してこれらを支持し、さらに該透明板の表側に露出したその軸芯の先端部分に、時刻を指し示す指針部(２ｂ)が設けられた計時装置(２)と、を具備することを特徴とするカレンダー付き掛け時計にある。ここで、「各月用のシート状体を備えた暦入り時計盤シート」のシートにはフィルムも含む。請求項１の発明のごとく、ベース板と暦入り時計盤シートと透明板と計時装置と、を具備する単純構造のカレンダー付き掛け時計であると、製造コストが安くなる。そして、暦入り時計盤シートをベース板と透明板とで挟み、これらを軸芯が支持する構成であるので、各シート状体を１枚ずつ手で引っ張って抜き取ることができる。カレンダーとしての機能を発揮できる。
【０００９】
請求項２の発明たるカレンダー付き掛け時計は、請求項１で、暦入り時計盤シートが紙製にして、１月から１２月の各月の暦が順に印刷され且つ夫々に時刻を表示する指標が印刷されてなる１２枚の各月用のシート状体の上に、さらに別体のシート状の表紙が重ねられて、これらが前記ベース板の表面に重ねられるものであることを特徴とする。請求項２の発明のごとく、暦入り時計盤シートを紙製にすると、月が変わり不要になったシート状体を手で引っ張って一層抜き取り易くなる。１２枚の各月用のシート状体の上に、さらに別体のシート状の表紙が重ねられると、表紙に本発明品の特徴や広告文を記載できるので、本発明品価値を高めることができる。
請求項３の発明たるカレンダー付き掛け時計は、請求項１又は２で、ベース板と各シート状体とを正面視大きさがほぼ同じの円形とし、各シート状体は日曜日と祝日とを平日と異なる色彩で表示したそのひと月分の暦が印刷され、さらに前記指標がつくるサークルよりも外側に前記ひと月分の暦の日にち文字がシート状体の外周縁に沿って一周するように印刷されてなることを特徴とする。請求項３の発明のごとく、ベース板と各シート状体とを正面視大きさがほぼ同じの円形とし、さらに前記指標がつくるサークルよりも外側に前記ひと月分の暦の日にち文字がシート状体の外周縁に沿って一周するように印刷されると、従来の掛け時計とほぼ同じ大きさにして、時刻指標及び暦の日にち文字を大きくでき、時刻及び暦が見易いカレンダー付き掛け時計となる。
請求項４の発明たるカレンダー付き掛け時計は、請求項３で、各シート状体に、その上縁部分から２本のミシン目が平行に下降して、該シート状体の中心部に設けられる中心孔の近傍にまで至るミシン目ライン又は該中心孔にまでつながるミシン目ラインをさらに形成することを特徴とする。請求項４の発明のごとく、ミシン目ラインが形成されると、カレンダー付き掛け時計からのシート状体の切り離しが一層容易になる。
【発明の効果】
【００１０】
本発明のカレンダー付き掛け時計は、掛け時計としての大きさを保ちながら、時刻表示する指標を通常の掛け時計と変わらぬ大きさにできて見易く、それでいてカレンダー機能を備え、さらに安価に製造できるなど優れた効果を発揮する。
【発明を実施するための最良の形態】
【００１１】
以下、本発明に係るカレンダー付き掛け時計について詳述する。
（１）実施形態１
図１〜図９は本発明のカレンダー付き掛け時計の一形態で、図１はその正面図、図２は図１の背面図、図３は図１の一部断面側面図、図４はベース板,暦入り時計盤シート,透明板の分解斜視図、図５は図１のカレンダー付き掛け時計から１月分のシート状体を抜取った後の正面図、図６〜図９は図１〜図９のカレンダー付き掛け時計と異なる別態様図で、図６は図１に対応するカレンダー付き掛け時計の正面図、図７は図４に対応するその分解斜視図、図８はその１月用シート状体の正面図、図９は図８とまた別態様の１月用シート状体の正面図である。なお図１では透明板の図示を省き、図４では３月用シート状体から１１月用シート状体までの時刻指標及び暦の日にち表示、及び年表示,月表示を省き、図８,図９も時刻指標及び暦の日にち表示、及び年表示,月表示を省く。
【００１２】
カレンダー付き掛け時計はベース板１と暦入り時計盤シート３と透明板４と計時装置２とを備える。
ベース板１は両面が平坦にして保形性を有する所定厚みを有する板状の板体である。ここではカレンダー付き掛け時計の正面視外観が円形になるようその形状を円板とする。ベース板１は、計時装置２を裏面側に取付ける一方、ベース板１の表側を暦入り時計盤シート３に裏当てして透明板４(詳細は後述)とで、該暦入り時計盤シート３をサンドイッチ状に挟んで該暦入り時計盤シートを起立状態に保てるものである(図３)。該ベース板１は剛体、又は多少の弾性変形が起こっても元の状態に復元することのできるプラスチック板等の弾性体からなる板体である。本発明のベース板１は平坦な壁５の力を借りてこれにもたれさせ、暦入り時計盤シート３を起立状態に保てるものも含む。暦入り掛け時計として壁５等に掛け、時刻及び暦を確認でき、本発明の同様の効果が得られるからである。本実施形態は厚紙を所定大きさの円形に加工したベース板１とする。円形の該ベース板１の中心部には計時装置２の軸芯２ｃが貫通する中央孔１１が設けられる(図４)。またベース板１の下縁部分に切欠部１２が形成される。該切欠部１２は半径約３ｃｍほどの半円状に切り欠く。この切欠部１２を利用して、月が変わり不必要になった月のシート状体、例えば１月から２月になった時、１月用シート状体３Ａを引っ張って容易に引き破ることができる。
ベース板１に関しては図４のごとく無地のままでもよいが、ベース板１の表面に時刻を表示する指標、具体的には１時から１２時までの時刻指標３０が印刷されるとより好ましい。カレンダー付き掛け時計の１月から１２月のシート状体３Ａ〜３Ｌが使用に供され抜取られた後、暦が存在しなくても掛け時計として使用できるからである。
【００１３】
暦入り時計盤シート３は、前記ベース板１の表面に重ねられる紙製又は樹脂製で可撓性を有するシート状にして、少なくとも１２枚の夫々に時刻を表示する指標３０が印刷されると共にそれら１２枚に１月から１２月まで順に各月の暦３１が印刷されたシート状体３Ａ〜３Ｌを備えるものである。ここで、「印刷」とは紙などにインクをつけて紙などに字や模様を刷るいわゆる印刷の他、プリンタや複写機等による指標の表記や手書きによる指標の表記を含む。１月用から１２月用までの１２枚のシート状体３Ａ〜３Ｌは、それぞれ別体構成で分離されている。１月分３Ａを上にして順に１月分から１２月分迄のシート状体３Ａ〜３Ｌの集合体たる暦入り時計盤シート３がベース板１の上に重ねられる。
【００１４】
本実施形態に係る各シート状体３Ａ〜３Ｌは、正面視大きさをベース板１の円形とほぼ同じにし、各シート状体の中心部に計時装置２の軸芯２ｃを貫通する中心孔３９が設けられる(図４)。各シート状体３Ａ〜３Ｌは汎用カレンダーに用いられる紙質の紙製シート体とする。該シート状体への時刻指標３０,暦の日にち文字３１の印刷が容易になっている。紙製に代え、比較的引き破り易い薄手の樹脂製フィルム等のシート体とすることもできる。各シート状体３Ａ〜３Ｌの表面には、時刻を表示する指標として１時から１２時の時を示すそれらの数字指標３０が、該シート状体３Ａ〜３Ｌの円形外周縁３ａ１から少し中心部に寄った部位で、図１のごとくサークルを描くようにして印刷される。通常の掛け時計と同様、１２の数字指標３０を真上にして、３,６,９,の各指標が９０度間隔で一周する。時刻を表示する指標３０はこの暦入り時計盤シートクラスの掛け時計のものと変わらぬ指標大きさになる。各月用のシート状体３Ａ〜３Ｌには、時刻指標のサークルの内側で中心孔３９より下方位置に、それぞれの月の文字３５が印刷され、該月の文字の下方に西暦年の文字３６が印刷される。
【００１５】
そして、各月用のシート状体３Ａ〜３Ｌには、時刻を表示する前記指標３０がつくるサークルよりも外側で、印刷された月の文字３５に対応してそのひと月分の暦の日にち文字３１が該シート状体３Ａ〜３Ｌの外周縁３ａ１に沿って一周するように印刷される。また各シート状体には土曜日と日曜日と祝日とを平日と異なる色彩で表示したそのひと月分の暦が印刷される。例えば暦の日にち文字３１について、土曜日文字３２と日曜日文字３３と祝日文字３４とを平日と異なる色彩で表示される。例えば日曜日及び祝日の文字３３,３４を赤色表示し、土曜日の文字３２を青色表示にし、平日文字を黒色表示とする。これによりこのカレンダー付き掛け時計を使用する者は、それらの色表示の違いから曜日が特定できる。月曜から日曜までのタイトル出しをしなくても曜日が判る。さらにそれらの文字３２〜３４を図１のごとく○で囲んで区別すると、曜日が一層判り易くなる。尚、図４は○で囲むのを省略する。一か月分の暦の日にち文字３１をシート状体３Ａ〜３Ｌの外周縁３ａ１に沿って周回させる構成がとられるので、時刻指標３０がつくるサークルよりも外側に暦の日にち文字３１が入るだけの僅かのスペースを確保するだけで足りる。
【００１６】
また、各シート状体３Ａ〜３Ｌには、図１のごとくその上縁部分から２本のミシン目３７ａが平行に下降し中心孔３９の近傍にまで至るミシン目ラインが形成される。詳しくは、各シート状体の外周縁３ａ１の上縁部分から２本の点線状の孔からなるミシン目３７ａが、両ミシン目３７ａ,３７ａの間隔を軸芯２ｃの軸径よりも広めに開けて平行に下降し指針部２ｂの中心孔３９の手前まで至り、且つ両ミシン目下端をミシン目でつないでなる縦長「凵」字状のミシン目ライン３７が形成される。該ミシン目ライン３７が切取線になって、その内側部分の切り離し部３ｂは該ミシン目ラインに沿って、その他のシート状体主部３ａから容易に切り離しできる。
本実施形態は既述のごとく、１月用から１２月用までの１２枚のシート状体３Ａ〜３Ｌからなる暦入り時計盤シート３が１月分を上にしてベース板１の上に重ねられるが、さらに１月分のシート状体３Ａの上に該シート状体と正面視大きさが同じの表紙(図示せず)重ねるとより好ましくなる。表紙に本カレンダー付き掛け時計の特徴,広告等を載せて本発明品価値を一層高めることができるからである。
【００１７】
透明板４は前記暦入り時計盤シート３上に重ねられる保形性を有する所定厚みの透視性のある板状の板体である。透明板４の有する透視性とは、透き通って透明板４の向こうが良く見えることをいうが、ここでは時計盤シートの上に置いた際に時計盤シートの時刻指標３０や暦の日にち文字３１を該透明板４を介して透視できれば足りるものとする。透明板４は前記ベース板１とで暦入り時計盤シート３に両側からサンドイッチ状に当てがって該暦入り時計盤シート３を起立状態に保てるようにする(図３)。透明板４とベース板１とが暦入り時計盤シート３の起立させた状態を保持し得る保形性を有する。保形性の透明板４とは、暦入り時計盤シート３を起立させた状態に保持できれば、剛体に限らず、弾性変形が起こっても元の状態に復元するプラスチック板等の弾性体からなる透明の板体も含むものとする。本発明の効果を発揮できるからである。
本実施形態の透明板４は正面視大きさが前記ベース板１の円形とほぼ同じにし、該透明板４の中心部に計時装置２の軸芯２ｃが貫通する貫通孔４１が設けられたアクリル樹脂等の透明プラスチックからなる薄板である。
透明板４は図５のごとくその下縁部分にひと月分の暦の日にち文字３１が露出するようにして半円状に切り欠く切欠部４２を形成するとより好ましくなる。本暦入り時計盤シート３が工事現場などの仮設ハウスにおかれる場合、工事完工日などの日にち文字に印をつけて士気向上等のために目立たせることができるからである。またこの切欠部４２を利用して、月が変わる毎に不要になった前月分のシート状体を手で引っ張って、軸芯２ｃによる支持から解放し引き破ることが一層行い易くなるからである。
【００１８】
計時装置２は駆動部２ａと軸芯２ｃと指針部２ｂを備える時計の本体機構ユニットである。該計時装置２は公知汎用品である。本実施形態はその計時装置２が単独で、総合専門小売店等で販売されている廉価品を使用する。
駆動部２ａは時計を動かす駆動装置部分で、ベース板１の裏面側に取付けられる。駆動部２ａは軸芯２ｃを介して指針部２ｂを時刻に合わせて動かすための乾電池２３,歯車やプリント実装基板２ａ１等からなり、これらがケース２０に収められている。符号２１はケースに固着されて壁５に吊るすための吊具、符号２２は時間調節つまみを示す。該駆動部２ａは時刻を刻んでこれを軸芯２ｃに伝達する。
軸芯２ｃは駆動部２ａからベース板１を貫通し、その表側に突出す心棒で、前記暦入り時計盤シート３に係る１２枚のシート状体３Ａ〜３Ｌ及び透明板４をさらに貫通してこれらを支持する。該シート状体及び透明板４を貫通した軸芯２ｃにワッシャ２４１を通しナット２４２を螺合させることにより、ベース板１,暦入り時計盤シート３,透明板４が軸芯２ｃに安定支持される。ベース板１と透明板４とで１２枚のシート状体３Ａ〜３Ｌを挟着するようにして、軸芯２ｃがベース板１,暦入り時計盤シート３,透明板４を支持する。さらに、透明板４の表側に露出したその軸芯２ｃの先端部分２ｃ１に指針部２ｂを取付ける。
指針部２ｂは時刻を指し示す針で、ここでは時間用短針２５と分用長針２６と秒針２７とからなる。駆動部２ａで時間を刻んだ部分が軸芯２ｃに伝わり透明板４の表側に露出するが、これを短針２５に固着する(図３)。同様に、駆動部２ａで分を刻んだ部分が軸芯２ｃに伝わり透明板４の表側に露出し、これが長針２６に固着され、秒を刻んだ部分が軸芯２ｃに伝わり透明板４の表側に露出し、これが秒針２７に固着される。符号２４３,符号２４４,符号２４５は短針止具,長針止具,秒針止具を示す。
【００１９】
そして、前記ベース板１と前記透明板４とで、既述のごとく暦入り時計盤シート３を挟んで起立させた状態を保つ。加えて、各シート状体３Ａ〜３Ｌが１枚ずつ手で引っ張って、軸芯２ｃによる支持から解放し引き破り可能とする。月が変われば前月分のシート状体が不要になるが、本実施形態は、各シート状体３Ａ〜３Ｌに縦長「凵」字状のミシン目ライン３７が形成されるので、透明板４の切欠部４２とベース板１の切欠部１２とを利用して前月の不要シート状体の下縁部を摘んで図１の白抜き矢印のごとく下方に引くことによって、ミシン目ライン３７に沿って切り離し部３ｂをスムーズに切り離すことができる。
【００２０】
前記ミシン目ライン３７に関しては、図１〜図５と異なり、図６〜図８のようにシート状体３Ａの上縁部分から２本のミシン目３７ａが平行に下降して、該シート状体の中心部に設けられる中心孔３９の近傍にまで至るミシン目ライン３７とすることができる。図８のごとくシート状体３Ａの上縁部分から中心孔３９に至り、さらにこれを通り過ぎて該中心孔の近傍を取り囲む縦長Ｕ字状のミシン目ライン３７を形成するのである。また図９のように、シート状体３Ａの上縁部分から２本のミシン目３７ａが平行に下降して、中心孔３９にまでつながるミシン目ライン３７を形成することもできる。いずれも各シート状体の主部３ａから切り離し部３ｂの切り離しが容易になる。図８,図９は１月用シート状体３Ａしか図示しないが、他の月用シート状体も同様の形状とする。
そして、図８,図９のごとく、シート状体３Ａ〜３Ｌの上縁部分から２本のミシン目３７ａ,３７ａが平行に下降するが、一方のミシン目(図では右側)についてはシート状体上縁部分から少し余白εをあけてそのスタート地点とするとより好ましくなる。カレンダー付き掛け時計から不用になったシート状体を切り離した際、図１の鎖線のごとく余白εの部分で主部３ａと切り離し部３ｂとがより確実につながり、ゴミ箱等に捨てるのに容易になるからである。
【００２１】
このように構成したカレンダー付き掛け時計は、掛け時計の大きさが同じクラスの従来の掛け時計と変わらぬ時刻指標３０の文字大きさが得られるので、時刻確認し易い。掛け時計としての機能を十二分発揮する。それでいて、ひと月の暦が表示されるので、ひと月のスケジュール管理が可能で、一般のカレンダーと同等の機能を発揮できる。単にカレンダーと掛け時計を縦並びにくっつけただけで、全体が大きさの制限から、いきおい時計部分が小さくなっていた従来技術１と異なり、本カレンダー付き掛け時計は時刻指標３０のみならずひと月分の日にち文字３１も大きくなって、暦も確認し易い。時計部分,カレンダー部分が共に使い勝手が良い。場所をとらないカレンダー付き掛け時計になっている。該カレンダー付き掛け時計は、掛け時計の大きさながら掛け時計とカレンダーの両方の機能をもちあわせ、避難生活での場所がとれない狭い仮設住宅や工事現場の仮設ハウス,プレハブ小屋等の壁５に飾るのに有益になっている。
【００２２】
そして、本カレンダー付き掛け時計は、前記ベース板１と前記透明板４とが前記暦入り時計盤シート３を挟み、起立させた状態にして保持し得る保形性を有するので、これまでの掛け時計のような頑丈な収容のための外ケースを要しない。また軸芯２ｃがベース板１,暦入り時計盤シート３,透明板４を支持するので、これまでのカレンダーのような１２枚の各月をまとめて吊り下げる吊設具、例えば従来技術１に見られるコイル状の線材などを要しない。暦入り時計盤シート３に係る各シート状体３Ａ〜３Ｌはまとめて軸芯２ｃに支持される単純構造になっている。さらに、計時装置２に既存の汎用廉価品が用いられ、暦入り時計盤シート３をカレンダー印刷と同様に印刷表示して作成できるなど製造コストが安い。天災に伴う仮設住宅や建設工事の仮設ハウスなどで使用するのに打ってつけとなる。季節外れで入手困難なカレンダーが備わり重宝する。
軸芯２ｃでベース板１,暦入り時計盤シート３,透明板４を支持し、ベース板１と透明板４とで該暦入り時計盤シート３に係る１２枚の各月用のシート状体３Ａ〜３Ｌを挟むだけの構造なので、各シート状体３Ａ〜３Ｌを１枚ずつ手で引っ張って軸芯２ｃによる支持から解放し引き破ることができる。暦入り時計盤シート３を紙製にすると、月が変わり不要になった前月分のシート状体を手で引っ張って簡単に引き破ることができる。
【００２３】
加えて、各シート状体３Ａ〜３Ｌの上縁部分から２本のミシン目３７ａが平行に下降して、該シート状体の中心部に設けられる中心孔３９の近傍にまで至るミシン目ライン３７又は該中心孔にまでつながるミシン目ライン３７を形成するので、一層簡単に引き破ることができる。より詳しくは、例えば図１〜図５のごとくシート状体の外周縁３ａ１の上縁部分から２本のミシン目３７ａが平行に下降し中心孔３９の手前まで至り且つ両ミシン目下端をミシン目でつないでなる縦長「凵」字状のミシン目ライン３７が形成されるので、一層簡単に引き破ることができる。さらに２本のミシン目３７ａが軸芯２ｃの軸径より広めに開けて平行に下降し指針部２ｂの軸芯２ｃの手前にまで至るので、シート状体の下端部分を手に持って引き下げることによって、図１のように２本のミシン目３７ａが軸芯２ｃに押されて簡単に切れ、軸芯２ｃの通り道をつくる。シート状体の切り離し部３ｂは軸芯２ｃの通り道を開けてミシン目３７ａで切れるが、前記余白εを設けることによって、切り離し部３ｂは図１の鎖線のようにその端部でシート状体の主部３ａと繋がっている。そのため、引き破られた不要シート状体をゴミ箱等に捨てる処理も楽になる。
【００２４】
また指標がつくるサークルよりも外側に前記ひと月分の暦の日にち文字３１がシート状体３Ａ〜３Ｌの外周縁に沿って一周するように印刷されているので、少ないスペースを有効活用して時刻指標３０,暦の日にち文字３１が大きなカレンダー付き掛け時計ができる。ベース板１と各シート状体３Ａ〜３Ｌとを正面視大きさがほぼ同じの円形になっているので、既存の丸形掛け時計と変わらぬ大きさにしながら、時刻指標３０,暦の日にち文字３１が大きくて暦,時計共に見易いものになる。
また、ベース板１の下縁部分に切欠部１２を形成したり透明板４の下縁部分に切欠部４２を形成したりすることによって、該切欠部１２,４２を利用してベース板１と透明板４とに挟まれた各月用のシート状体３Ａ〜３Ｌから所定のシート状体を引き抜くことができる。透明板４の下縁部分にシート状体３Ａ〜３Ｌに印刷された日にち文字３１が露出するようにして半円状に切り欠く切欠部４２を形成するので、日にち文字３１へのマーキングが行い易くなる。予定記入表等としても有用なカレンダー付き掛け時計になる。
加えて、１２枚の各月用のシート状体３Ａ〜３Ｌの上に、さらに別体のシート状の表紙が重ねられて、これらが前記ベース板１の表面に重ねられるものであると、表紙に本商品の広告宣伝などを載せて購買意欲を高めることができる。
【００２５】
（２）実施形態２
本実施形態は図１０のごとくの本発明のカレンダー付き掛け時計で、図１０は図４のベース板,暦入り時計盤シート,透明板の分解斜視図に対応する分解斜視図である。
実施形態１では透明板４の正面視大きさをベース板１,各シート状体３Ａ〜３Ｌの円形と同じ大きさにしたが、ここでの透明板４は図示のごとくベース板１よりも一回り小さくして、カレンダー月掛け時計が組み立てられた段階で、ひと月分の暦の日にち文字３１が全て露出する大きさにする。透明板４は一回り小さくなるが、シート状体３Ａ〜３Ｌの外周縁近くの部分がむき出しになるだけなので、ベース板１とで暦入り時計盤シート３を挟み、これを起立させた状態にして保持することができる。他の構成は実施形態１と同様で説明を省く。図１０で実施形態１と同一符号は同一又は相当部分を示す。
【００２６】
このように構成したカレンダー付き掛け時計は、実施形態１の効果に加え、透明板４に遮られることなく、暦の日にち文字３１の部分がひと月分露出するので、日にち文字３１へのマーキングが一層行い易くなる。予定記入表等として極めて有用なカレンダー付き掛け時計になる。暦の日にち文字に鉛筆,ペン等で簡単に印を付けることができので、時計,暦、さらに日記などの予定記入帳,メモ掲示板等としても使用でき、頗る便利になる。
【００２７】
尚、本発明においては前記実施形態に示すものに限られず、目的,用途に応じて本発明の範囲で種々変更できる。ベース板１,計時装置２,暦入り時計盤シート３,透明板４等の形状,大きさ,材質等は用途に合わせて適宜選択できる。
【図面の簡単な説明】
【００２８】
【図１】実施形態１のカレンダー付き掛け時計の一形態で、その正面図である。
【図２】図１の背面図である。
【図３】図１の一部断面側面である。
【図４】ベース板,暦入り時計盤シート,透明板の分解斜視図である。
【図５】図１のカレンダー付き掛け時計から１月分のシート状体を抜取った後の正面図である
【図６】図１に対応するカレンダー付き掛け時計の正面図である。
【図７】図４に対応するその分解斜視図である。
【図８】カレンダー付き掛け時計の１月用シート状体の正面図である。
【図９】図８とまた別態様の１月用シート状体の正面図である。
【図１０】実施形態２のベース板,暦入り時計盤シート,透明板の分解斜視図である。
【符号の説明】
【００２９】
１              ベース板
１２            切欠部
２              計時装置
２ａ            駆動部
２ｂ            指針部
２ｃ            軸芯
２ｃ１            先端部分
３              暦入り時計盤シート
３Ａ〜３Ｌ      シート状体
３０            時刻指標
３１            暦の日にち文字(暦)
３７            ミシン目ライン
３９            中心孔
４              透明板
４２            切欠部
【図１】
2006198989.tif 000003
【図２】
2006198989.tif 000004
【図３】
2006198989.tif 000005
【図４】
2006198989.tif 000006
【図５】
2006198989.tif 000007
【図６】
2006198989.tif 000008
【図７】
2006198989.tif 000009
【図８】
2006198989.tif 000010
【図９】
2006198989.tif 000011
【図１０】
2006198989.tif 000012